(57)【要約】      （修正有）【課題】ネットワークを介して葉書印刷用電子メールを受信した場合に、この葉書印刷用電子メールを自動的に葉書状の印刷媒体に印刷することが可能となる印刷装置を提供する。【解決手段】印刷装置２のＣＰＵ４１は、ネットワーク４を介してフォーマットで作成された葉書印刷用電子メールを通信処理部３５を介して取得した場合には、この葉書印刷用電子メールの１０行目の「印刷様式」に従って表側テンプレートと裏側テンプレートを選択する。そして、ＣＰＵ４１は、この葉書印刷用電子メールの１行目〜９行目の各文字列を表側テンプレートに従って、印刷部３３を介して葉書の表側に印刷する。続いて、ＣＰＵ４１は、葉書印刷用電子メールに画像データが添付されていない場合には、葉書印刷用電子メールの１１行目以降の差し込み文字列を裏側テンプレートに従って、印刷部３３を介して葉書の裏側に印刷する。【選択図】図２
2010179615.tif 000002
【特許請求の範囲】
【請求項１】
葉書状の印刷媒体の両面に印刷データを印刷可能な印刷手段と、
通信端末装置からネットワークを介して送信された所定フォーマットで作成された葉書印刷用メール情報を取得するメール情報取得手段と、
所定文字印刷領域が設けられた複数種類の葉書テンプレートを記憶するテンプレート記憶手段と、
前記メール情報取得手段を介して取得した葉書印刷用メール情報に基づいて前記葉書テンプレートを選択するテンプレート選択手段と、
前記葉書印刷用メール情報から宛先情報及び差出人情報を含む前記印刷媒体の表側に印刷する表側印刷情報を抽出する表側印刷情報抽出手段と、
前記葉書印刷用メール情報から差し込み文字列を含む前記印刷媒体の裏側に印刷する裏側印刷情報を抽出する裏側印刷情報抽出手段と、
前記印刷手段を介して前記表側印刷情報抽出手段によって抽出された表側印刷情報を前記テンプレート選択手段によって選択された葉書テンプレートに従って前記印刷媒体の表側に印刷するように制御すると共に、前記裏側印刷情報抽出手段によって抽出された裏側印刷情報を該葉書テンプレートに従って該印刷媒体の裏側に印刷するように制御する印刷制御手段と、
を備えたことを特徴とする印刷装置。
【請求項２】
前記所定文字印刷領域に前記差し込み文字列が入るように文字サイズを調整する文字サイズ調整手段を備え、
前記印刷制御手段は、前記文字サイズ調整手段によって調整された差し込み文字列を該所定文字印刷領域に印刷するように制御することを特徴とする請求項１に記載の印刷装置。
【請求項３】
前記葉書テンプレートは、前記葉書印刷用メール情報に添付された画像情報を前記印刷媒体の裏側に印刷する画像印刷領域を含み、
前記葉書印刷用メール情報に画像情報が添付されているか否かを判定する添付判定手段と、
前記葉書印刷用メール情報に画像情報が添付されていると判定された場合には、該画像情報を前記テンプレート選択手段によって選択された葉書テンプレートの前記画像印刷領域に合うように調整する画像調整手段と、
を備え、
前記印刷制御手段は、前記画像調整手段を介して調整された画像情報を前記画像印刷領域に従って前記印刷媒体の裏側に印刷するように制御することを特徴とする請求項１又は請求項２に記載の印刷装置。
【請求項４】
前記葉書印刷用メール情報は、葉書に印刷するためのメール情報か否かを識別する識別情報と前記テンプレート選択手段が選択する葉書テンプレートを特定するテンプレート特定情報とを含み、
前記宛先情報は、宛先住所と宛先名とを含み、
前記差出人情報は、差出人の住所と差出人名とを含み、
前記所定フォーマットは、前記識別情報と前記テンプレート特定情報と前記宛先住所と宛先名と前記差出人の住所と差出人名と前記差し込み文字列とがそれぞれ改行毎に入力されるように構成されていることを特徴とする請求項１乃至請求項３のいずれかに記載の印刷装置。
【発明の詳細な説明】
【技術分野】
【０００１】
本発明は、葉書状の印刷媒体に印刷データを印刷することが可能な印刷装置に関するものである。
【背景技術】
【０００２】
近年、デジタルカメラ付き携帯電話機の普及に伴い、デジタルカメラ付き携帯電話機で撮影した画像をネットワークを介して印刷取次店に送信し、当該画像が組み込まれた葉書を印刷するようなシステムが種々提案されている。
【０００３】
例えば、印刷事業者のコンピュータシステムとコンピュータネットワークで接続されたカメラ付き携帯電話機により印刷事業者へ写真入り葉書の作成及び配送を発注して写真入り葉書の発送を行うもので、カードに印刷される画像と宛先及び差出人を含むテキストデータとをカメラ付き携帯電話機よりコンピュータネットワークへ送信して印刷事業者へ写真入り葉書の作成及び配送を発注する。印刷事業者は、コンピュータネットワークを介して送られてきた画像及びテキストデータをコンピュータシステムで受信して写真入り葉書の作成及び配送を受注した後、受信した画像と所定のテキストデータとを葉書に印刷して写真入りカードを作成して配送を行う写真入りカード発送システムがある（例えば、特許文献１参照。）。
【先行技術文献】
【特許文献】
【０００４】
【特許文献１】特開２００２−４４３５５号公報（段落（００１８）〜（００３６）、図１〜図５）
【発明の概要】
【発明が解決しようとする課題】
【０００５】
しかしながら、上述した特許文献１に記載される構成では、年賀状や暑中見舞い、グリーティングカード等を送る場合には、印刷事業者に写真入り葉書の作成及び配送を発注する必要があり、手間がかかるという問題がある。また、カメラ付き携帯電話機から画像付き電子メールやファックスを直接送るのでは、味気なく感じるという問題がある。また、携帯電話機から画像付き電子メール又は画像無し電子メールを相手先のパーソナルコンピュータに送信し、相手先でパーソナルコンピュータを操作して印刷することが考えられるが、高齢者等のパーソナルコンピュータに不慣れな人にとっては、受信した電子メールの印刷を容易に行うことができないという問題がある。
【０００６】
そこで、本発明は、上述した問題点を解決するためになされたものであり、ネットワークを介して葉書印刷用電子メールを受信した場合に、この葉書印刷用電子メールを自動的に葉書状の印刷媒体に印刷することが可能となる印刷装置を提供することを目的とする。
【課題を解決するための手段】
【０００７】
前記目的を達成するため請求項１に係る印刷装置は、葉書状の印刷媒体の両面に印刷データを印刷可能な印刷手段と、通信端末装置からネットワークを介して送信された所定フォーマットで作成された葉書印刷用メール情報を取得するメール情報取得手段と、所定文字印刷領域が設けられた複数種類の葉書テンプレートを記憶するテンプレート記憶手段と、前記メール情報取得手段を介して取得した葉書印刷用メール情報に基づいて前記葉書テンプレートを選択するテンプレート選択手段と、前記葉書印刷用メール情報から宛先情報及び差出人情報を含む前記印刷媒体の表側に印刷する表側印刷情報を抽出する表側印刷情報抽出手段と、前記葉書印刷用メール情報から差し込み文字列を含む前記印刷媒体の裏側に印刷する裏側印刷情報を抽出する裏側印刷情報抽出手段と、前記印刷手段を介して前記表側印刷情報抽出手段によって抽出された表側印刷情報を前記テンプレート選択手段によって選択された葉書テンプレートに従って前記印刷媒体の表側に印刷するように制御すると共に、前記裏側印刷情報抽出手段によって抽出された裏側印刷情報を該葉書テンプレートに従って該印刷媒体の裏側に印刷するように制御する印刷制御手段と、を備えたことを特徴とする。
ここで、葉書とは、普通葉書や年賀葉書等の他、バースディカード等のグリーティングカードや葉書形状の用紙等をいう。
【０００８】
また、請求項２に係る印刷装置は、請求項１に記載の印刷装置において、前記所定文字印刷領域に前記差し込み文字列が入るように文字サイズを調整する文字サイズ調整手段を備え、前記印刷制御手段は、前記文字サイズ調整手段によって調整された差し込み文字列を該所定文字印刷領域に印刷するように制御することを特徴とする。
【０００９】
また、請求項３に係る印刷装置は、請求項１又は請求項２に記載の印刷装置において、前記葉書テンプレートは、前記葉書印刷用メール情報に添付された画像情報を前記印刷媒体の裏側に印刷する画像印刷領域を含み、前記葉書印刷用メール情報に画像情報が添付されているか否かを判定する添付判定手段と、前記葉書印刷用メール情報に画像情報が添付されていると判定された場合には、該画像情報を前記テンプレート選択手段によって選択された葉書テンプレートの前記画像印刷領域に合うように調整する画像調整手段と、を備え、前記印刷制御手段は、前記画像調整手段を介して調整された画像情報を前記画像印刷領域に従って前記印刷媒体の裏側に印刷するように制御することを特徴とする。
【００１０】
更に、請求項４に係る印刷装置は、請求項１乃至請求項３のいずれかに記載の印刷装置において、前記葉書印刷用メール情報は、葉書に印刷するためのメール情報か否かを識別する識別情報と前記テンプレート選択手段が選択する葉書テンプレートを特定するテンプレート特定情報とを含み、前記宛先情報は、宛先住所と宛先名とを含み、前記差出人情報は、差出人の住所と差出人名とを含み、前記所定フォーマットは、前記識別情報と前記テンプレート特定情報と前記宛先住所と宛先名と前記差出人の住所と差出人名と前記差し込み文字列とがそれぞれ改行毎に入力されるように構成されていることを特徴とする。
【発明の効果】
【００１１】
請求項１に係る印刷装置では、通信端末装置からネットワークを介して送信された所定フォーマットで作成された葉書印刷用メール情報を取得した場合には、該葉書印刷用メール情報に基づいて葉書テンプレートを選択する。そして、この葉書印刷用メール情報から宛先情報及び差出人情報を含む表側印刷情報が抽出されて、葉書テンプレートに従って葉書の表側に印刷される。また、この葉書印刷用メール情報から差し込み文字列を含む裏側印刷情報が抽出されて、葉書テンプレートに従って葉書の裏側に印刷される。
【００１２】
これにより、所定フォーマットで作成された葉書印刷用メール情報を通信端末装置からネットワークを介して印刷装置へ送信することによって、この葉書印刷用メール情報に含まれる宛先情報、差出人情報及び差し込み文字列等を自動的に葉書状の印刷媒体に印刷することが可能となる。従って、高齢者等のパーソナルコンピュータに不慣れな人でも、当該印刷装置を設置してネットワークに接続するだけで、通信端末装置からネットワークを介して送信された葉書印刷用メール情報に含まれる宛先情報、差出人情報及び差し込み文字列等が印刷された葉書状の印刷媒体を容易に入手することが可能となる。
【００１３】
また、請求項２に係る印刷装置では、通信端末装置において所定文字印刷領域に合わせて差し込み文字列の文字サイズや文章等を設定しなくても、当該所定文字印刷領域に適切に収めて印刷することが可能となり、使い勝手の向上を図ることが可能となる。
【００１４】
また、請求項３に係る印刷装置では、葉書印刷用メール情報に画像情報が添付されている場合には、この画像情報をテンプレート選択手段によって選択された葉書テンプレートの画像印刷領域に合うように調整して、印刷媒体の裏側に印刷することが可能となる。従って、高齢者等のパーソナルコンピュータに不慣れな人でも、当該印刷装置を設置してネットワークに接続するだけで、通信端末装置からネットワークを介して送信された画像情報と葉書印刷用メール情報に含まれる宛先情報、差出人情報及び差し込み文字列等とが印刷された葉書状の印刷媒体を容易に入手することが可能となる。
【００１５】
更に、請求項４に係る印刷装置では、葉書印刷用メール情報の所定フォーマットは、識別情報とテンプレート特定情報と宛先住所と宛先名と差出人の住所と差出人名と差し込み文字列とがそれぞれ改行毎に入力されるように構成されているため、各情報を改行毎に読み出して迅速に取得することが可能となる。また、通信端末装置のユーザは、所定フォーマットに従って葉書印刷用メール情報を容易に作成することが可能となる。
【図面の簡単な説明】
【００１６】
【図１】本実施例に係る葉書印刷システムの概略構成である。
【図２】葉書印刷システムを構成する印刷装置及び携帯電話機の回路構成を示す回路ブロック図である。
【図３】テンプレート記憶領域に記憶される葉書の表側に印刷する文字等の印刷領域を設定する表側テンプレートの一例を示す図である。
【図４】テンプレート記憶領域に記憶される葉書の裏側に印刷する文字や画像等の印刷領域を設定する裏側テンプレートの一例を示す図である。
【図５】液晶ディスプレイに表示された葉書印刷用電子メールのフォーマットの一例を示す図である。
【図６】印刷装置による受信した葉書印刷用電子メールを葉書に印刷する電子メール印刷処理を示すメインフローチャートである。
【図７】図６の「葉書印刷処理」のサブ処理を示すサブフローチャートである。
【図８】携帯電話機の撮像部で撮影した画像のデータファイルが添付された葉書印刷用電子メールの一例を示す図である。
【図９】図８の葉書印刷用電子メールの宛名等を葉書の表側に印刷した一例を示す図である。
【図１０】図８の葉書印刷用電子メールの差し込み文字列及び添付された画像を葉書の裏側に印刷した一例を示す図である。
【図１１】画像のデータファイルが添付されていない葉書印刷用電子メールの一例を示す図である。
【図１２】図１１の葉書印刷用電子メールの差し込み文字列を葉書の裏側に印刷した一例を示す図である。
【発明を実施するための形態】
【００１７】
以下、本発明に係る印刷装置を葉書印刷システムについて、具体化した一実施例に基づいて図面を参照しつつ詳細に説明する。
【実施例】
【００１８】
先ず、本実施例に係る葉書印刷システム１の概略構成について図１に基づき説明する。
図１に示すように、本実施例に係る葉書印刷システム１は、普通葉書や年賀葉書等の他、両面に印刷が可能な葉書形状（例えば、９〜１０．７ｃｍ×１４〜１５．４ｃｍの長方形である。）の用紙等（以下、「葉書」という。）の両面にカラー印刷が可能な印刷装置２と、デジタルカメラ付き携帯電話機３と、ネットワーク４から基本的に構成されている。
【００１９】
そして、携帯電話機３はネットワーク４を介して電子メールを印刷装置２へ送信可能に構成され、印刷装置２はネットワーク４を介して電子メールを受信可能に構成されている。また、ネットワーク４としては、例えば携帯電話回線網、電話回線網、公衆通信回線網、専用通信回線網、インターネット等の通信回線網等の通信系を使用することができる。
【００２０】
また、印刷装置２は、本体１１の上面部に各種操作ボタン１２や液晶ディスプレイ１３等を備えた操作部３２が設けられている。また、本体１１の底部には、両面に印刷が可能な葉書を積層した状態で収容する給紙カセット１５が前面側から着脱可能に設けられている。この給紙カセット１５には、葉書が、その短辺(幅）が搬送方向と直交する方向に沿うように複数枚積載して収容可能に構成されている。
【００２１】
そして、印刷装置２は、後述のように携帯電話機３から葉書印刷用メール情報（以下、「葉書印刷用電子メール」という。）を受信した場合には、印刷部３３（図２参照）を介して宛先の郵便番号、宛先住所、宛先名、差出人の郵便番号、差出人住所、差出人名を表側に印刷し、メッセージ等を裏側に印刷した葉書１６等を表側を上にして、前面側に設けられた排出口１７から排出する。また、印刷装置２は、不図示のＬＡＮケーブル等によってネットワーク４に接続されている。
【００２２】
また、携帯電話機３は、背面部にＣＣＤカメラ等によって構成される撮像部６３（図２参照）が設けられ、人物や風景等を撮影して、葉書に印刷する画像を生成する。また、携帯電話機３には、電話番号の他に、宛先の郵便番号、宛先住所、宛先名、差出人の郵便番号、差出人住所、差出人名、メッセージ等を入力するためのテンキー２１が設けられている。また、携帯電話機３には、撮像部６３で撮影した画像やテンキー２１を介して入力したメッセージ等を表示可能な液晶ディスプレイ２２、スピーカ２３、マイク２４等が設けられている。
【００２３】
次に、葉書印刷システム１を構成する印刷装置２及び携帯電話機３の回路構成について図２に基づいて説明する。
図２に示すように、印刷装置２は、印刷装置２の全体の制御を行う制御回路部３１、操作部３２、印刷部３３、画像処理部３４、通信処理部３５等から構成されている。
【００２４】
また、制御回路部３１は、印刷装置２の全体の制御を行う演算装置及び制御装置としてのＣＰＵ４１や、ＲＯＭ４２、ＲＡＭ４３、時間を計測するタイマ４４等を備えている。また、ＣＰＵ４１、ＲＯＭ４２、ＲＡＭ４３、タイマ４４は、不図示のバス線により相互に接続されて、相互にデータのやり取りが行われる。
【００２５】
また、ＲＯＭ４２は、各種のプログラムを記憶させておくものであり、印刷制御プログラムや、後述の葉書印刷用電子メールを受信した場合に、葉書の表側に宛先住所等を印刷し、裏側にメッセージ等を印刷する葉書印刷処理（図６参照）等の各種プログラムが記憶されている。また、ＲＯＭ４２には、葉書の表側又は裏側に印刷する文字又は画像の配置領域がそれぞれ設定された複数種類の葉書テンプレート（図３、図４参照）を記憶するテンプレート記憶領域４２Ａが設けられている。
【００２６】
そして、ＣＰＵ４１は、かかるＲＯＭ４２に記憶されている各種のプログラムに基づいて各種の演算及び制御を行なうものである。また、ＲＡＭ４３は、ＣＰＵ４１により演算された各種の演算結果や印刷データ等を一時的に記憶させておくためのものである。
更に、制御回路部３１には、操作部３２、印刷部３３、画像処理部３４、通信処理部３５が接続されている。
【００２７】
操作部３２は、各種操作ボタン１２や液晶ディスプレイ１３等から構成され、電源のオンオフや葉書印刷様式の設定を行う際等に操作される。そして、制御回路部３１は、各操作ボタン１２の押下等により出力されるスイッチ信号に基づいて、対応する各種の動作を実行すべく制御を行う。尚、操作部３２としては、液晶ディスプレイ１３の前面に設けたタッチパネルによって構成することもできる。
【００２８】
また、印刷部３３は、不図示の用紙送り機構やカラーインクジェットヘッド等から構成されて、制御回路部３１からの指示に従って、後述のように携帯電話機３から受信した宛先の郵便番号、宛先住所、宛先名、差出人の郵便番号、差出人住所、差出人名を葉書１６の表側に印刷し、画像やメッセージ等を葉書１６の裏側に印刷する（図７参照）。
【００２９】
また、画像処理部３４は、携帯電話機３から受信した電子メールに添付された画像データを葉書テンプレートに従って画像印刷領域内に収まるように調整して、制御回路部３１へ出力する。
また、通信処理部３５は、制御回路部３１からの指示に従って、後述のように携帯電話機３との間でネットワーク４を介して所定のプロトコルに従って電子メール及び添付画像データの受信処理を行う。
【００３０】
また、図２に示すように、携帯電話機３は、携帯電話機３の全体の制御を行う制御回路部６１、通信処理部６２、撮像部６３、出力部６４、入力部６５等から構成されている。
この制御回路部６１は、携帯電話機３の全体の制御を行う演算装置及び制御装置としてのＣＰＵ７１や、ＲＯＭ７２、ＲＡＭ７３、時間を計測するタイマ７４等を備えている。また、ＣＰＵ７１、ＲＯＭ７２、ＲＡＭ７３、タイマ７４は、不図示のバス線により相互に接続されて、相互にデータのやり取りが行われる。
【００３１】
また、ＲＯＭ７２は、各種のプログラムを記憶させておくものであり、テンキー２１から入力された電話番号先と通話を行うように制御する通話制御プログラムや、所定フォーマットで作成された電子メールや添付画像データをネットワーク４を介して送信する送信制御プログラム等の各種プログラムが記憶されている。また、ＲＯＭ７２には、葉書印刷用電子メールのフォーマット（図５参照）を記憶するフォーマット記憶領域７２Ａが設けられている。
【００３２】
そして、ＣＰＵ７１は、かかるＲＯＭ７２に記憶されている各種のプログラムに基づいて各種の演算及び制御を行なうものである。また、ＲＡＭ７３は、ＣＰＵ７１により演算された各種の演算結果や葉書印刷用電子メール等を一時的に記憶させておくためのものである。
更に、制御回路部６１には、通信処理部６２、撮像部６３、出力部６４、入力部６５が接続されている。
【００３３】
通信処理部６２は、携帯電話回線網を介して通信を行うとともに、インターネット通信を可能とするための所定のＷｅｂブラウザ及びメールソフト等によってネットワーク４を介して電子メールや添付画像データ等の送受信を行う。
また、撮像部６３は、ＣＣＤカメラ等で構成されたデジタルカメラによって風景や人物などを撮影し、デジタル画像データとして制御回路部６１へ出力する。
【００３４】
また、出力部６４は、画像や電話番号、メッセージ等を表示する液晶ディスプレイ２２や音声等を出力するスピーカ２３等によって構成されている。
また、入力部６５は、電話番号の他に、電子メールのメッセージ等を入力するためのテンキー２１やマイク２４（図１参照）、カメラ操作を行う不図示のシャッタボタン等から構成されている。
【００３５】
ここで、印刷装置２のＲＯＭ４２のテンプレート記憶領域４２Ａに記憶される葉書テンプレートの一例について図３及び図４に基づいて説明する。
図３に示すように、葉書の表側に印刷する文字等の印刷領域を設定する表側テンプレート８１は、縦置きの葉書の大きさにほぼ等しく形成され、その上端中央部には、宛先の郵便番号を配置する横長の配置領域８１Ａが設けられている。また、表側テンプレート８１の右側部分には、宛先の住所Ａを配置する縦長の配置領域８１Ｂと、宛先の住所Ｂを配置する縦長の配置領域８１Ｃとが並設されている。また、表側テンプレート８１の中央部には、宛先名を配置する配置領域８１Ｄが設けられている。
【００３６】
また、表側テンプレート８１の左側部分には、差出人の住所Ａを配置する縦長の配置領域８１Ｅと、差出人の住所Ｂを配置する縦長の配置領域８１Ｆとが並設されている。また、表側テンプレート８１の左端部分には、差出人名を配置する縦長の配置領域８１Ｇが設けられている。更に、表側テンプレート８１の左側部分の下端部には、差出人の郵便番号を配置する横長の配置領域８１Ｈが設けられている。また、各配置領域８１Ａ、８１Ｈは、横書きに設定され、各配置領域８１Ｂ〜８１Ｇは、縦書きに設定されている。
【００３７】
また、図４に示すように、葉書の裏側に印刷する文字や画像等の印刷領域を設定する各裏側テンプレート９１〜９４は、横置きの葉書の大きさにほぼ等しく形成され、画像を横置きに配置する画像印刷領域９５がほぼ全領域に設定されている。また、裏側テンプレート９１の左上部分、裏側テンプレート９２の右上部分、裏側テンプレート９３の左下部分、及び、裏側テンプレート９４の右下部分には、メッセージ等の差し込み文字列を横書きで配置する横長四角形の文字印刷領域９６がそれぞれ設定されている。
【００３８】
また、葉書の裏側に印刷する文字や画像等の印刷領域を設定する各裏側テンプレート９８〜１０１は、縦置きの葉書の大きさにほぼ等しく形成され、画像を縦置きに配置する画像印刷領域１０２がほぼ全領域に設定されている。また、裏側テンプレート９８の左上部分、裏側テンプレート９９の右上部分、裏側テンプレート１００の左下部分、及び、裏側テンプレート１０１の右下部分には、メッセージ等の差し込み文字列を縦書きで配置する縦長四角形の文字印刷領域１０３がそれぞれ設定されている。
【００３９】
また、葉書の裏側に印刷する文字の印刷領域を設定する裏側テンプレート１０５は、横置きの葉書の大きさにほぼ等しく形成され、メッセージ等の差し込み文字列を横書きで配置する文字印刷領域１０６がほぼ全領域に設定されている。また、葉書の裏側に印刷する文字の印刷領域を設定する裏側テンプレート１０８は、縦置きの葉書の大きさにほぼ等しく形成され、メッセージ等の差し込み文字列を縦書きで配置する文字印刷領域１０９がほぼ全領域に設定されている。
【００４０】
次に、携帯電話機３のＲＯＭ７２のフォーマット記憶領域７２Ａに記憶される葉書印刷用電子メールのフォーマットの一例について図５に基づいて説明する。
図５に示すように、携帯電話機３のＲＯＭ７２のフォーマット記憶領域７２Ａに記憶される葉書印刷用電子メールのフォーマット１１０は、携帯電話機３の「メニュー一覧」から「メール」を選択後、「テンプレート一覧」を選択し、更に、「はがきメール」を選択することによって液晶ディスプレイ１５に表示される。
【００４１】
フォーマット１１０は、１行目から１０行目に各入力枠Ｌ１〜Ｌ１０が設けられ、１１行目以降にメッセージを入力する入力枠Ｌ１１が設けられている。この入力枠Ｌ１には、葉書印刷用電子メールであることを表す「はがきメール：」が表示されるとともに、電子メールのタイトルを入力する旨を表す「（メールタイトル）」が表示されている。また、２行目の入力枠Ｌ２乃至５行目の入力枠Ｌ５には、それぞれ「宛先の郵便番号」、「宛先の住所１」、「宛先の住所２」、「宛名」を入力する旨が表示されている。
【００４２】
また、６行目の入力枠Ｌ６乃至９行目の入力枠Ｌ９には、それぞれ「差出人の郵便番号」、「差出人の住所１」、「差出人の住所２」、「差出人名」を入力する旨が表示されている。また、１０行目の入力枠Ｌ１０には、画像やメッセージ等を葉書の裏側に配置する裏側テンプレートの種類を表す「印刷様式」を入力する旨が表示されている。更に、１１行目以降の入力枠Ｌ１１には、葉書の裏側に印刷するメッセージである「差し込み文字列」を入力する旨が表示されている。
【００４３】
従って、フォーマット１１０に従って作成された葉書印刷用電子メールは、１行目から１０行目において、各改行毎に「はがきメール：（メールタイトル）」、「宛先の郵便番号」、「宛先の住所１」、「宛先の住所２」、「宛名」、「差出人の郵便番号」、「差出人の住所１」、「差出人の住所２」、「差出人名」、「印刷様式」のデータが順次配置され、続いて、１１行目以降に「差し込み文字列」が配置されるように構成されている。また、携帯電話機３は、この葉書印刷用電子メールに、撮像部６３で撮影した画像を添付して、ネットワーク４を介して印刷装置２へ送信することができる。
【００４４】
次に、このように構成された葉書印刷システム１の印刷装置２による受信した葉書印刷用電子メールを葉書に印刷する電子メール印刷処理について図６乃至図１２に基づいて説明する。図６にフローチャートで示されるプログラムは、印刷装置２のＲＯＭ４２に記憶されており、ＣＰＵ４１により所定時間毎（例えば、０．１秒毎である。）に実行される。
【００４５】
図６に示すように、先ず、ステップ（以下、Ｓと略記する）１１において、印刷装置２のＣＰＵ４１は、ＲＡＭ４３に記憶するデータや各部機能の初期化を行う。つまり、ＣＰＵ４１は、ＲＡＭ４３に記憶されている各種フラグや各カウンタに「０」を代入して初期化すると共に、ＲＡＭ４３に設けられている印刷データを記憶する印字バッファ、受信した電子メールを記憶する電子メール記憶領域、電子メールに添付された画像ファイルを記憶する画像ファイル記憶領域等を初期化する。
【００４６】
続いて、Ｓ１２において、ＣＰＵ４１は、通信処理部３５を介して、電子メールやこの電子メールに添付された画像ファイル等を受信したか否かを判定する判定処理を実行する。そして、電子メールやこの電子メールに添付された画像ファイル等を受信していない場合には（Ｓ１２：ＮＯ）、ＣＰＵ４１は、当該処理を終了する。
一方、電子メールやこの電子メールに添付された画像ファイル等を受信した場合には（Ｓ１２：ＹＥＳ）、ＣＰＵ４１は、Ｓ１３の処理に移行する。
【００４７】
Ｓ１３において、ＣＰＵ４１は、通信処理部３５を介して、電子メール及び添付された画像ファイル等を受信して、当該電子メール及び添付された画像ファイル等をＲＡＭ４３に順次記憶する。また、ＣＰＵ４１は、当該電子メール及び添付された画像ファイル等をＲＡＭ４３に記憶する毎に、ＲＡＭ４３から受信カウンタのカウント値Ｎを読み出して「１」加算後、再度ＲＡＭ４３に記憶する。つまり、受信カウンタのカウント値Ｎは、受信した電子メールの個数を表している。
【００４８】
そして、Ｓ１４において、ＣＰＵ４１は、ＲＡＭ４３から順番カウンタのカウント値Ｐを読み出して、順番カウンタのカウント値Ｐに「１」を代入して、再度、ＲＡＭ４３に記憶する。
その後、Ｓ１５において、ＣＰＵ４１は、ＲＡＭ４３から順番カウンタのカウント値Ｐを読み出し、このカウント値Ｐを受信した電子メールの順番として、当該Ｐ番目の電子メールのメールタイトル、つまり、当該Ｐ番目の電子メールの１行目の文字列を読み出す。
【００４９】
続いて、Ｓ１６において、ＣＰＵ４１は、このＰ番目の電子メールのメールタイトルが、葉書印刷用電子メールを表すメールタイトルか否かを判定する判定処理を実行する。具体的には、ＣＰＵ４１は、当該Ｐ番目の電子メールから読み出した１行目の文字列の最初の部分に、「はがきメール：」の文字列が含まれているか否かを判定する判定処理を実行する。
【００５０】
そして、Ｐ番目の電子メールから読み出した１行目の文字列の最初の部分に、「はがきメール：」の文字列が含まれている場合には（Ｓ１６：ＹＥＳ）、ＣＰＵ４１は、このＰ番目の電子メールのメールタイトルが、葉書印刷用電子メールを表すメールタイトルであると判定して、Ｓ１７の処理に移行する。Ｓ１７において、ＣＰＵ４１は、後述の「葉書印刷処理」のサブ処理（図７参照）を実行後、下記Ｓ１８の処理に移行する。
【００５１】
一方、Ｐ番目の電子メールから読み出した１行目の文字列の最初の部分に、「はがきメール：」の文字列が含まれていない場合には（Ｓ１６：ＮＯ）、ＣＰＵ４１は、このＰ番目の電子メールのメールタイトルが、葉書印刷用電子メールを表すメールタイトルでないと判定して、Ｓ１８の処理に移行する。
【００５２】
Ｓ１８において、ＣＰＵ４１は、ＲＡＭ４３から順番カウンタのカウント値Ｐを読み出して、順番カウンタのカウント値Ｐに「１」加算して、再度、ＲＡＭ４３に記憶する。
続いて、Ｓ１９において、ＣＰＵ４１は、ＲＡＭ４３から順番カウンタのカウント値Ｐと受信カウンタのカウント値Ｎを読み出して、カウント値Ｐがカウント値Ｎよりも大きいか否かを判定する判定処理を実行する。
【００５３】
そして、カウント値Ｐがカウント値Ｎ以下の場合には(Ｓ１９：ＮＯ)、ＣＰＵ４１は、再度、Ｓ１５以降の処理を実行する。
一方、カウント値Ｐがカウント値Ｎよりも大きい場合には(Ｓ１９：ＹＥＳ)、ＣＰＵ４１は、当該処理を終了する。
【００５４】
次に、上記Ｓ１７で実行される「葉書印刷処理」のサブ処理について図７に基づいて説明する。
図７に示すように、先ず、Ｓ１１１において、ＣＰＵ４１は、ＲＡＭ４３から順番カウンタのカウント値Ｐを読み出し、このカウント値Ｐを受信した電子メールの順番として、当該Ｐ番目の電子メール（葉書印刷用電子メール）の２行目から５行目までの各文字列をＲＡＭ４３から順次読み出し、順番に「宛先の郵便番号」、「宛先の住所１」、「宛先の住所２」、「宛名」としてＲＡＭ４３に記憶する。
【００５５】
そして、Ｓ１１２において、ＣＰＵ４１は、当該Ｐ番目の電子メール（葉書印刷用電子メール）の６行目から９行目までの各文字列をＲＡＭ４３から順次読み出し、順番に「差出人の郵便番号」、「差出人の住所１」、「差出人の住所２」、「差出人名」としてＲＡＭ４３に記憶する。
続いて、Ｓ１１３において、ＣＰＵ４１は、当該Ｐ番目の電子メール（葉書印刷用電子メール）の１０行目の文字列をＲＡＭ４３から読み出し、この文字列を「印刷様式」として該当する裏側テンプレートを選択してＲＡＭ４３に記憶する。
【００５６】
ここで、各裏側テンプレート９１〜９４、９８〜１０１、１０５、１０８に対応する「印刷様式」の一例について説明する。
各裏側テンプレート９１〜９４は、横置きの葉書の大きさにほぼ等しく形成され、ほぼ全領域に設定された画像印刷領域９５の左上部分、右上部分、左下部分、右下部分に横長四角形で横書きの文字印刷領域９６がそれぞれ設定されている。これより、各裏側テンプレート９１〜９４の各「印刷様式」は、「横置き横書き左上」、「横置き横書き右上」、「横置き横書き左下」、「横置き横書き右下」である。
【００５７】
また、各裏側テンプレート９８〜１０１は、縦置きの葉書の大きさにほぼ等しく形成され、ほぼ全領域に設定された画像印刷領域１０２の左上部分、右上部分、左下部分、右下部分に縦長四角形で縦書きの文字印刷領域１０３がそれぞれ設定されている。これより、各裏側テンプレート９８〜１０１の各「印刷様式」は、「縦置き縦書き左上」、「縦置き縦書き右上」、「縦置き縦書き左下」、「縦置き縦書き右下」である。
【００５８】
また、裏側テンプレート１０５は、横置きの葉書の大きさにほぼ等しく形成され、ほぼ全領域に横書きの文字印刷領域１０６が設定されている。これより、裏側テンプレート１０５の「印刷様式」は、「横置き横書き」である。更に、裏側テンプレート１０８は、縦置きの葉書の大きさにほぼ等しく形成され、ほぼ全領域に縦書きの文字印刷領域１０９が設定されている。これより、裏側テンプレート１０８の「印刷様式」は、「縦置き縦書き」である。
【００５９】
従って、例えば、当該Ｐ番目の電子メール（葉書印刷用電子メール）の１０行目の文字列が、「横置き横書き右上」の場合には、ＣＰＵ４１は、裏側テンプレート９２を選択してＲＡＭ４３に記憶する。また、当該Ｐ番目の電子メール（葉書印刷用電子メール）の１０行目の文字列が、「横置き横書き」の場合には、ＣＰＵ４１は、裏側テンプレート１０５を選択してＲＡＭ４３に記憶する。
【００６０】
続いて、Ｓ１１４において、ＣＰＵ４１は、当該Ｐ番目の電子メール（葉書印刷用電子メール）の１１行目以降の文字列をＲＡＭ４３から読み出し、各文字印刷領域９６、１０３、１０６、１０９に挿入する「差し込み文字列」としてＲＡＭ４３に記憶する。
【００６１】
そして、Ｓ１１５において、ＣＰＵ４１は、ＲＡＭ４３から「宛先の郵便番号」、「宛先の住所１」、「宛先の住所２」、「宛名」、「差出人の郵便番号」、「差出人の住所１」、「差出人の住所２」、「差出人名」を読み出し、表側テンプレート８１の各配置領域８１Ａ〜８１Ｈに、それぞれ収まるように文字サイズを調整して配置し、葉書１６(図１参照)の表側に印刷する「表側印刷データ」としてＲＡＭ４３に設けられた印字バッファに記憶する。そして、ＣＰＵ４１は、印字バッファから「表側印刷データ」を順次読み出して、印刷部３３を介して葉書１６を搬送しつつ、カラーインクジェットヘッド等を介して葉書１６の表側に印刷する。
【００６２】
続いて、Ｓ１１６において、ＣＰＵ４１は、当該Ｐ番目の電子メール（葉書印刷用電子メール）に、携帯電話機３の撮像部６３で撮影した画像のデータファイルが添付されているか否かを判定する判定処理を実行する。
そして、携帯電話機３の撮像部６３で撮影した画像のデータファイルが添付されている場合には（Ｓ１１６：ＹＥＳ）、ＣＰＵ４１は、Ｓ１１７に移行する。
【００６３】
Ｓ１１７において、ＣＰＵ４１は、当該Ｐ番目の電子メール（葉書印刷用電子メール）に添付された画像のデータファイルをＲＡＭ４３から読み出す。そして、ＣＰＵ４１は、この画像を各裏側テンプレート９１〜９４、９８〜１０１のうちの上記Ｓ１１３で選択した裏側テンプレートの画像印刷領域９５又は画像印刷領域１０２に収まるように画像サイズを調整して配置し、葉書１６(図１参照)の裏側に印刷する「裏側印刷データ」としてＲＡＭ４３に設けられた印字バッファに記憶する。
【００６４】
また、ＣＰＵ４１は、ＲＡＭ４３から「差し込み文字列」を読み出し、この「差し込み文字列」を各裏側テンプレート９１〜９４、９８〜１０１のうちの上記Ｓ１１３で選択した裏側テンプレートの文字印刷領域９６又は文字印刷領域１０３に収まるように文字サイズを調整して配置し、ＲＡＭ４３に設けられた印字バッファの「裏側印刷データ」に上書き記憶する。
【００６５】
続いて、ＣＰＵ４１は、印字バッファから「裏側印刷データ」を順次読み出して、印刷部３３を介して葉書１６を裏返して搬送しつつ、カラーインクジェットヘッド等を介して葉書１６の裏側に印刷後、当該サブ処理を終了してメインフローチャートに戻り、Ｓ１８の処理に移行する。
【００６６】
ここで、ＣＰＵ４１が、携帯電話機３の撮像部６３で撮影した画像のデータファイルが添付された葉書印刷用電子メールを印刷した一例について図８乃至図１０に基づいて説明する。
図８に示すように、ＣＰＵ４１が受信した電子メールは、フォーマット１１０に従って作成された葉書印刷用電子メールで、カメラアイコン１２１、つまり、後述のように「神社の風景」を携帯電話機３の撮像部６３で撮影した画像のデータファイル１２１が添付されている。
【００６７】
従って、図９に示すように、ＣＰＵ４１は、当該葉書印刷用電子メールから、「宛先の郵便番号」、「宛先の住所１」、「宛先の住所２」、「宛名」、「差出人の郵便番号」、「差出人の住所１」、「差出人の住所２」、「差出人名」として、「１２３−００１２」、「東京都  ○○区」、「○○１−１」、「山田花子」、「２３４−５６７８」、「大阪市  ○○区」、「○○○３−２」、「山田太郎」を読み出す。
【００６８】
そして、ＣＰＵ４１は、この「１２３−００１２」、「東京都  ○○区」、「○○１−１」、「山田花子」、「２３４−５６７８」、「大阪市  ○○区」、「○○○３−２」、「山田太郎」を表側テンプレート８１の各配置領域８１Ａ〜８１Ｈに、それぞれ収まるように文字サイズを調整して配置し、葉書１６の表側に印刷する「表側印刷データ」としてＲＡＭ４３に設けられた印字バッファに記憶する。そして、ＣＰＵ４１は、印字バッファから当該「表側印刷データ」を順次読み出して、印刷部３３を介して葉書１６を搬送しつつ、カラーインクジェットヘッド等を介して葉書１６の表側に印刷する。
【００６９】
また、図１０に示すように、ＣＰＵ４１は、当該葉書印刷用電子メールの１０行目の文字列が「横置き横書き右下」であることから、裏側テンプレート９４（図４参照）を選択してＲＡＭ４３に記憶する。そして、ＣＰＵ４１は、添付された「神社の風景」の画像のデータファイル１２１を、裏側テンプレート９４の画像印刷領域９５に収まるように画像サイズを調整して配置し、葉書１６の裏側に印刷する「裏側印刷データ」としてＲＡＭ４３に設けられた印字バッファに記憶する。
【００７０】
また、ＣＰＵ４１は、ＲＡＭ４３から「差し込み文字列」として、当該葉書印刷用電子メールの１１行目以降の「暑中お見舞い申し上げます。お盆にみんなで遊びにいきますね。」を読み出し、裏側テンプレート９４の文字印刷領域９６に収まるように文字サイズを調整して配置し、ＲＡＭ４３に設けられた印字バッファの「裏側印刷データ」に上書き記憶する。
【００７１】
続いて、ＣＰＵ４１は、印字バッファから「裏側印刷データ」を順次読み出して、印刷部３３を介して葉書１６を裏返して搬送しつつ、カラーインクジェットヘッド等を介して横置きの葉書１６の裏側の画像印刷領域９５に「神社の風景」を印刷すると共に、横置きの葉書１６の右下の文字印刷領域９６に「暑中お見舞い申し上げます。お盆にみんなで遊びにいきますね。」を横書きで印刷する。
【００７２】
一方、図７に示すように、携帯電話機３の撮像部６３で撮影した画像のデータファイルが添付されていない場合には（Ｓ１１６：ＮＯ）、ＣＰＵ４１は、Ｓ１１８に移行する。
Ｓ１１８において、ＣＰＵ４１は、ＲＡＭ４３から「差し込み文字列」を読み出し、この「差し込み文字列」を各裏側テンプレート１０５、１０８のうちの上記Ｓ１１３で選択した裏側テンプレートの文字印刷領域１０６又は文字印刷領域１０９に収まるように文字サイズを調整して配置し、葉書１６(図１参照)の裏側に印刷する「裏側印刷データ」としてＲＡＭ４３に設けられた印字バッファに記憶する。
【００７３】
続いて、ＣＰＵ４１は、印字バッファから「裏側印刷データ」を順次読み出して、印刷部３３を介して葉書１６を裏返して搬送しつつ、カラーインクジェットヘッド等を介して葉書１６の裏側に印刷後、当該サブ処理を終了してメインフローチャートに戻り、Ｓ１８の処理に移行する。
【００７４】
ここで、ＣＰＵ４１が、画像のデータファイルが添付されていない葉書印刷用電子メールを印刷した一例について図１１及び図１２に基づいて説明する。
【００７５】
図１１に示すように、ＣＰＵ４１が受信した電子メールは、フォーマット１１０に従って作成された葉書印刷用電子メールで、カメラアイコンは表示されていない、つまり、携帯電話機３の撮像部６３で撮影した画像のデータファイルは添付されていない。
また、ＣＰＵ４１が受信した当該電子メールの１行目の入力枠Ｌ１〜９行目の入力枠Ｌ９に入力されている内容は、上記図８に示す電子メールの１行目の入力枠Ｌ１〜９行目の入力枠Ｌ９に入力されている内容と同じである。
【００７６】
このため、当該葉書印刷用電子メールの１行目〜９行目の「１２３−００１２」、「東京都  ○○区」、「○○１−１」、「山田花子」、「２３４−５６７８」、「大阪市  ○○区」、「○○○３−２」、「山田太郎」は、表側テンプレート８１の各配置領域８１Ａ〜８１Ｈに、それぞれ収まるように文字サイズを調整して配置し、葉書１６の表側に印刷する「表側印刷データ」としてＲＡＭ４３に設けられた印字バッファに記憶する。そして、ＣＰＵ４１は、印字バッファから当該「表側印刷データ」を順次読み出して、上記図９に示すように、印刷部３３を介して葉書１６を搬送しつつ、カラーインクジェットヘッド等を介して葉書１６の表側に印刷する。
【００７７】
また、図１２に示すように、ＣＰＵ４１は、当該葉書印刷用電子メールの１０行目の文字列が「縦置き縦書き」であることから、裏側テンプレート１０８（図４参照）を選択してＲＡＭ４３に記憶する。そして、ＣＰＵ４１は、ＲＡＭ４３から「差し込み文字列」として、当該葉書印刷用電子メールの１１行目以降の「暑中お見舞い申し上げます。毎日とても暑いですが元気にしていますか？お盆にはみんなで遊びにいきますね。」を読み出し、裏側テンプレート１０８の文字印刷領域１０９に収まるように文字サイズを調整して配置し、ＲＡＭ４３に設けられた印字バッファの「裏側印刷データ」に記憶する。
【００７８】
続いて、ＣＰＵ４１は、印字バッファから「裏側印刷データ」を順次読み出して、印刷部３３を介して葉書１６を裏返して搬送しつつ、カラーインクジェットヘッド等を介して縦置きの葉書１６の裏側の文字印刷領域１０９に「暑中お見舞い申し上げます。毎日とても暑いですが元気にしていますか？お盆にはみんなで遊びにいきますね。」を縦書きで印刷する。
【００７９】
ここで、印刷部３３は、印刷手段の一例として機能する。また、携帯電話機３は、通信端末装置の一例として機能する。また、通信処理部３５は、メール情報取得手段の一例として機能する。また、ＲＯＭ４２は、テンプレート記憶手段の一例として機能する。また、ＣＰＵ４１は、テンプレート選択手段、表側印刷情報抽出手段、裏側印刷情報抽出手段、印刷制御手段、文字サイズ調整手段、添付判定手段、画像調整手段の一例として機能する。
【００８０】
以上詳細に説明した通り、本実施例に係る葉書印刷システム１では、印刷装置２のＣＰＵ４１は、携帯電話機３からネットワーク４を介して送信されたフォーマット１１０で作成された葉書印刷用電子メールを通信処理部３５を介して取得した場合には、この葉書印刷用電子メールの１０行目の「印刷様式」に従って裏側テンプレートを選択する。そして、ＣＰＵ４１は、この葉書印刷用電子メールの１行目〜９行目の各文字列を読み出し、「宛先の郵便番号」、「宛先の住所１」、「宛先の住所２」、「宛名」、「差出人の郵便番号」、「差出人の住所１」、「差出人の住所２」、「差出人名」として、表側テンプレート８１の各配置領域８１Ａ〜８１Ｈに、それぞれ収まるように文字サイズを調整して配置し、印刷部３３を介して葉書１６の表側に印刷する。続いて、ＣＰＵ４１は、取得した葉書印刷用電子メールに画像データが添付されていない場合には、葉書印刷用電子メールの１１行目以降の差し込み文字列を読み出し、選択した裏側テンプレートの文字印刷領域１０６又は文字印刷領域１０９に収まるように文字サイズを調整して配置し、印刷部３３を介して葉書１６の裏側に印刷する。
【００８１】
これにより、フォーマット１１０で作成された葉書印刷用電子メールを携帯電話機３からネットワーク４を介して印刷装置２へ送信することによって、この葉書印刷用電子メールの２行目〜９行目の各文字列を葉書１６の表側の所定位置に印刷し、葉書印刷用電子メールの１１行目以降の差し込み文字列を葉書１６の裏側に印刷することが可能となる。従って、高齢者等のパーソナルコンピュータに不慣れな人でも、当該印刷装置２を設置してネットワーク４に接続するだけで、携帯電話機３からネットワーク４を介して送信された葉書印刷用電子メールの宛先情報と差出人情報、及び差し込み文字列が、それぞれ表側と裏側に印刷された葉書１６を容易に入手することが可能となる。
【００８２】
また、携帯電話機３において葉書印刷用電子メールの２行目〜９行目の各文字列及び１１行目以降の差し込み文字列の文字サイズや文章等が設定されていなくても、ＣＰＵ４１は、葉書印刷用電子メールの１０行目で指定した印刷様式に合わせて葉書１６の表側テンプレート８１及び裏側テンプレート１０５又は裏側テンプレート１０８の各文字印刷領域に適切に収めて印刷することが可能となり、使い勝手の向上を図ることが可能となる。
【００８３】
また、ＣＰＵ４１は、ネットワーク４を介して、画像のデータファイル１２１が添付された葉書印刷用電子メールを取得した場合には、この画像を葉書印刷用電子メールの１０行目の「印刷様式」に従って選択した裏側テンプレートの画像印刷領域９５又は画像印刷領域１０２に収まるように画像サイズを調整して配置すると共に、葉書印刷用電子メールの１１行目以降の差し込み文字列を裏側テンプレートの文字印刷領域９６又は文字印刷領域１０３に収まるように文字サイズを調整して配置し、印刷部３３を介して葉書１６の裏側に印刷する。
【００８４】
これにより、フォーマット１１０で作成された葉書印刷用電子メールに、携帯電話機３の撮像部６３で撮影した画像のデータファイル１２１を添付して、携帯電話機３からネットワーク４を介して印刷装置２へ送信することによって、この葉書印刷用電子メールの２行目〜９行目の各文字列を葉書１６の表側の所定位置に印刷し、葉書印刷用電子メールの１１行目以降の差し込み文字列と添付した画像とを葉書１６の裏側に印刷することが可能となる。従って、高齢者等のパーソナルコンピュータに不慣れな人でも、当該印刷装置２を設置してネットワーク４に接続するだけで、携帯電話機３からネットワーク４を介して送信された葉書印刷用電子メールの宛先情報と差出人情報、及び差し込み文字列と画像が、それぞれ表側と裏側に印刷された葉書１６を容易に入手することが可能となる。
【００８５】
更に、葉書印刷用電子メールのフォーマット１１０は、識別情報としての「はがきメール：（メールタイトル」、「宛先の郵便番号」、「宛先の住所１」、「宛先の住所２」、「宛名」、「差出人の郵便番号」、「差出人の住所１」、「差出人の住所２」、「差出人名」、「印刷様式」、「差し込み文字列」が、それぞれ改行毎に入力されるように構成されている。このため、印刷装置２のＣＰＵ４１は、各情報を改行毎に読み出して迅速に取得することが可能となる。また、携帯電話機３のユーザは、葉書印刷用電子メールをフォーマット１１０に従って容易に作成することが可能となる。
【００８６】
尚、本発明は前記実施例に限定されることはなく、本発明の要旨を逸脱しない範囲内で種々の改良、変形が可能であることは勿論である。例えば、以下のようにしてもよい。
【００８７】
（Ａ）縦置きの葉書の大きさにほぼ等しく形成された表側テンプレート８１だけでなく、各配置領域８１Ａ〜８１Ｈが横書きの「横置き横書き」の表側テンプレートを設けるようにしてもよい。そして、葉書印刷用電子メールの１０行目の印刷様式が「縦置き・・・」の場合には、上記Ｓ１１３において、ＣＰＵ４１は、表側テンプレート８１を選択し、一方、葉書印刷用電子メールの１０行目の印刷様式が「横置き・・・」の場合には、上記Ｓ１１３において、ＣＰＵ４１は、「横置き横書き」の表側テンプレートを選択するようにしてもよい。
【００８８】
（Ｂ）また、携帯電話機３からネットワーク４を介して送信された葉書印刷用電子メールや添付された画像データを、当該ネットワーク４に接続されたパーソナルコンピュータが受信して、このパーソナルコンピュータがＵＳＢ（UniversalSerial Bus）ケーブル等を介して接続された印刷装置２へ、この受信した葉書印刷用電子メールや添付された画像データを出力するように構成してもよい。
【００８９】
（Ｃ）また、携帯電話機３からネットワーク４を介して送信された葉書印刷用電子メールや添付された画像データを、当該ネットワーク４に接続された携帯電話機が受信して、この携帯電話機が赤外線通信等によって印刷装置２へ、この受信した葉書印刷用電子メールや添付された画像データを出力するように構成してもよい。
【００９０】
（Ｄ）また、携帯電話機３に葉書印刷用電子メールのフォーマット１１０を記憶したフォーマット記憶領域７２Ａを設けないで、ユーザがフォーマット１１０の入力形式を覚えておき、当該フォーマット１１０に従って葉書印刷用電子メールを作成して、通常の電子メールとして印刷装置２へ送信するようにしてもよい。
【００９１】
（Ｅ）また、印刷装置２のＣＰＵ４１は、上記Ｓ１６で、Ｐ番目の電子メールから読み出した１行目の文字列の最初の部分に、「はがきメール：」の文字列が含まれていない場合には（Ｓ１６：ＮＯ）、当該電子メールをそのまま葉書の表側又は裏側に印刷して、排出後、Ｓ１８の処理に移行するようにしてもよい。
【００９２】
（Ｆ）また、携帯電話機３に限らず、デスクトップ型パーソナルコンピュータ、ノート型コンピュータ等から印刷装置２へネットワーク４を介してフォーマット１１０に従って作成した葉書印刷用電子メールや添付された画像データを送信するようにしてもよい。これにより、印刷措置２へネットワーク４を介してフォーマット１１０に従って作成した葉書印刷用電子メールや添付された画像データを送信することによって、当該葉書印刷用電子メールや添付された画像データが印刷された葉書１６を作成することが可能となる。
【符号の説明】
【００９３】
１      葉書印刷システム
２      印刷装置
３      携帯電話機
４      ネットワーク
１６      葉書
３１、６１    制御回路部
３３      印刷部
３５、６２      通信処理部
４１、７１      ＣＰＵ
４２、７２      ＲＯＭ
４３、７３      ＲＡＭ
４２Ａ      テンプレート記憶領域
７２Ａ      フォーマット記憶領域
８１      表側テンプレート
９１〜９４、９８〜１０１、１０５、１０８      裏側テンプレート
１１０      フォーマット
１２１      カメラアイコン（画像のデータファイル）
【図１】
2010179615.tif 000003
【図２】
2010179615.tif 000004
【図３】
2010179615.tif 000005
【図４】
2010179615.tif 000006
【図５】
2010179615.tif 000007
【図６】
2010179615.tif 000008
【図７】
2010179615.tif 000009
【図８】
2010179615.tif 000010
【図９】
2010179615.tif 000011
【図１０】
2010179615.tif 000012
【図１１】
2010179615.tif 000013
【図１２】
2010179615.tif 000014